(57)【要約】【課題】  原稿の仕様を画像読み取り装置が判断し、最適な排紙口を自動的に選択する。ユーザの誤操作さによる原稿のダメージや原稿滞留による復帰作業の煩わしさが無くなりユーザビリティーの優れた画像読み取り装置を提供する。【解決手段】  画像を読み取る原稿読取手段と、原稿を給紙、搬送する手段と、原稿の厚みを検知する検知手段と、原稿の先端及び後端を検知する検知手段と、原稿読取部の下流側でＵターンパスを形成し前面に原稿を排出する排紙手段と、原稿読取部下流側でストレートパスにて後面に原稿を排出する排紙手段と、２つの排紙手段のいずれかに排出するかを選択する選択手段を有する画像読取装置において、原稿の先端・後端検知により算出された画像長さと厚み検知された原稿厚みに応じて２つの排紙口を自動で選択する。【選択図】  図１
2007049300.tif 000002
【特許請求の範囲】
【請求項１】
原稿搬送経路を境界として開閉可能な上下ユニットにより構成され、画像を読み取る原稿読取手段と、原稿を給紙する手段と、原稿を搬送する手段と、原稿の厚みを検知する検知手段と、原稿の先端及び後端を検知する検知手段と、原稿読取部の下流側でＵターンパスを形成し前面に原稿を排出する排紙手段と、原稿読取部下流側でストレートパスにて後面に原稿を排出する排紙手段と、２つの排紙手段のいずれかに排出するかを選択する選択手段を有する画像読取装置において、原稿の先端・後端検知により算出された画像長さと厚み検知された原稿厚みに応じて２つの排紙口を自動で選択することを特徴とする画像読取装置。
【請求項２】
原稿読取部下流のＵターンパスの通紙部が開閉可能な扉で形成され、２つの排紙手段の選択を扉の自動開閉動作によって行うことを特徴とする請求項１の画像読取装置。
【請求項３】
先端及び後端検知手段から前記開閉扉までの距離が前記２つの排紙手段に各々に設置された排紙ローラ間の距離よりも長く設定されていることを特徴とする請求項１の画像読取装置。
【請求項４】
画像形成装置と一体に構成された多機能画像形成装置であることを特徴とする請求項１から３記載の画像読取装置。
【請求項５】
画像形成装置にオプション装着可能な請求項１から３記載の画像読取装置。
【発明の詳細な説明】
【技術分野】
【０００１】
本発明は、ファクシミリ装置、複写機、MFP（マルチファンクションンプリンタ）等のシートフィード方式有する画像読取装置に関するものである。
【背景技術】
【０００２】
本発明の背景技術について説明する。近年、情報処理システムの発達に伴って種々の情報処理機器が開発されている。オフィス等で使用される複写機やレーザビームプリンタ等の機器のうち、特にデスクトップ型の小型機器には占有面積を含め小型化及び多機能化が求められている。その為、装置本体を小型化しオプション機器を充実させることによってユーザの機能選択性を高めた形態、中でも画像処理機会は以前にまして増え、画像読取装置をオプション設定する装置や画像読取装置と画像形成装置を一体的に構成された複合機が人気を集めている。上記情報処理装置に用いられる読取部は原稿像をＣＣＤ等の光電変換素子に導く縮小光学系とＣＣＤを原稿に近接させて原稿像をＣＣＤ等に等倍のまま導く等倍光学系（コンタクトイメージセンサ）との大きく２つに分けられる。ここで、等倍光学系を用いた従来の原稿読取装置の一例を図に示す。図６は従来の画像読取装置の断面図であり、原稿通紙部を境界とし開閉可能な画像読み取り部を有す上ユニット2と原稿を搬送する搬送ローラ１３を具備する下ユニット３及び原稿６を積載するための原稿台７によって構成されている。
【０００３】
原稿６は原稿台７に積載され、原稿６の幅方向を規制する幅規制板９により幅方向のガイドが行われる。複数枚の原稿６は分離ローラ１０が不図示の駆動モータによって図示矢印方向に回転駆動され、予備搬送板１１が分離ローラ１０側に付勢されることによって摩擦片１２と分離ローラ１０との楔形状の位置まで搬送される。そして、摩擦片１２により複数枚の原稿６は１枚ずつ捌かれ、搬送ローラ１３が駆動モータによって図示矢印方向に回転駆動されると、該搬送ローラ１３に対向する補助コロ１３ａの付勢力を得て搬送される。搬送ローラ１３の下流側にセンサーフラグ８が配置され原稿が搬送されるとフラッグを押し下げることによりフラッグの反対側に設けられたフォトセンサにより原稿の先端を検知する。原稿の後端がセンサーを通り過ぎるとセンサーは元の位置に戻りこのとき原稿の後端を検知する。搬送ガイド１４は原稿６を分離ローラ１０からコンタクトイメージセンサ１５までガイドする。
【０００４】
コンタクトイメージセンサ１５の下部には、読取基準板１６がコンタクトイメージセンサ１５の読み取り幅全域を覆うように設けられている。読取基準板１６は原稿６のバックグランドカラーとなるとともに、読み取りにおける白基準を構成する。コンタクトイメージセンサ１５の内部には、原稿６の照射する光源が配置されている。そして、排紙ローラ１７が駆動モータによって図示矢印方向に回転駆動されると、コンタクトイメージセンサ１５によって読み取られた原稿６が排紙ローラ１７に対向する補助コロ１７ａの付勢力を得て図示矢印方向に搬送される。ここで開閉扉２０が閉じている時に原稿は図のＦＤ排紙方向にＵターンしＦＤ排紙ローラ１９と対向するＦＤ排紙コロ１９ａにて排紙トレイ２１上に排出される。開閉扉２０が開放している時は図のＦＵ方向に排紙される。
【０００５】
又、従来例としては、例えば特許文献１と特許文献２と特許文献３をあげることが出来る。
【特許文献１】特開平6-34312号公報
【特許文献２】特開2002-94721号公報
【特許文献３】特開2002-348052号公報
【発明の開示】
【発明が解決しようとする課題】
【０００６】
この開閉扉は、通紙される原稿の厚みが厚い場合、名刺やショートメディア等の長さの短い原稿を読み取る場合にユーザが開放するものである。ユーザは取り扱い説明書を良くよみ、ＦＵ排紙しなければいけない原稿の仕様を理解し、排出先を選択しなけければならない。この開放を忘れてしまうと、厚い紙の場合はＵターン部で原稿がダメージを受ける可能性があり、短い原稿の場合は排紙トレイ２１に排出されず装置内部に滞留してしまうことがある。
【０００７】
そこで、本発明はこのような現状に鑑みてなされたものであり、ユーザが原稿仕様を理解したり、排出先を選択しないでも正しく原稿を読取れるユーザビリティに優れた画像読み取り装置を提供することを目的とするものである。
【課題を解決するための手段】
【０００８】
上記目的を達成するため本発明の代表的な構成は、画像を読み取る原稿読取手段と、原稿を給紙、搬送する手段と、原稿の厚みを検知する検知手段と、原稿の先端及び後端を検知する検知手段と、原稿読取部の下流側でＵターンパスを形成し前面に原稿を排出する排紙手段と、原稿読取部下流側でストレートパスにて後面に原稿を排出する排紙手段と、２つの排紙手段のいずれかに排出するかを選択する選択手段を有する画像読取装置において、原稿の先端・後端検知により算出された画像長さと厚み検知された原稿厚みに応じて２つの排紙口を自動で選択する。また、排紙口選択手段は原稿読取部下流のＵターンパスの通紙部が開閉可能な扉で形成され扉の開閉動作が２つの排紙手段の選択手段となっていることを特徴とするものである。
【０００９】
この構成によると原稿の仕様を画像読み取り装置が判断し、最適な排紙口を自動的に選択することが出来るため、ユーザの誤操作さによる原稿のダメージや原稿滞留による復帰作業の煩わしさが無くなりユーザビリティーの優れた画像読み取り装置が提供できる。
【発明の効果】
【００１０】
以上説明したように、本発明によれば、原稿の仕様を画像読み取り装置が判断し、最適な排紙口を自動的に選択することが出来るため、ユーザの誤操作さによる原稿のダメージや原稿滞留による復帰作業の煩わしさが無くなりユーザビリティーの優れた画像読み取り装置が提供できる。
【発明を実施するための最良の形態】
【００１１】
（第1の実施例）
本発明の実施例を図1〜３に基づいて説明する。図１は本発明の画像読取装置の断面図であり、原稿通紙部を境界とし開閉可能な画像読み取り部を有す上ユニット2と原稿を搬送する搬送ローラ１３を具備する下ユニット３及び原稿６を積載するための原稿台７によって構成されている。
【００１２】
原稿６は分離ローラ１０が不図示の駆動モータによって図示矢印方向に回転駆動され、予備搬送板１１が分離ローラ１０側に付勢されることによって摩擦片１２と分離ローラ１０との楔形状の位置まで搬送される。そして、摩擦片１２により複数枚の原稿６は１枚ずつ捌かれ、搬送ローラ１３が駆動モータによって図示矢印方向に回転駆動されると、該搬送ローラ１３に対向する補助コロ１３ａの付勢力を得て搬送される。搬送ローラ１３の下流側にセンサーフラグ８が配置され原稿が搬送されるとフラッグを押し下げることにより図２のようにコントローラ２０１に設けられたフォトセンサにより原稿の先端を検知する。原稿の後端がセンサーを通り過ぎるとセンサーは元の位置に戻りこのとき原稿の後端を検知する。センサーのＯＮ−ＯＦＦの時間と原稿の速度により原稿長さが求められる。コンタクトイメージセンサ１５の下部には、読取基準板１６がコンタクトイメージセンサ１５の読み取り幅全域を覆うように設けられバネ等によりコンタクトイメージセンサに付勢されている。読取基準板１６は原稿６のバックグランドカラーとなるとともに、読み取りにおける白基準を構成する。原稿通紙時に読取基準板の上を通過すると読み取り基準板は下方に押し下げられる。この下降量を検知することにより原稿の厚みが検出される。そして、排紙ローラ１７が駆動モータによって図示矢印方向に回転駆動されると、コンタクトイメージセンサ１５によって読み取られた原稿６が排紙ローラ１７に対向する補助コロ１７ａの付勢力を得て図示矢印方向に搬送される。ここで、前記原稿長さ検出と厚み検出により開閉扉を開けるとコントローラ２０１が認識すると。図３のようにリンク２２がａの位置に揺動する。すると開閉アーム２３により開閉扉が開放し図のＦＵ排紙へ排出される。開閉扉２０が閉じている時に原稿は図のＦＤ排紙方向にＵターンしＦＤ排紙ローラ１９と対向するＦＤ排紙コロ１９ａにて排紙トレイ２１上に排出される。
【００１３】
また、原稿後端を検出した時に原稿先端がＵターン部に掛からないように原稿検知部から開閉扉２０までの距離Ｌ1、ＦＤ排紙可能長さである各々の排紙ローラ間の距離Ｌ2より長くとってある。
【００１４】
（第２の実施例）
本発明の第２の実施形態である多機能画像形成装置について図４に基づいて説明する。
【００１５】
多機能画像形成装置1００は原稿画像読取部１５０、画像を記録する画像形成装置１５１、操作部１５２によって構成される。
【００１６】
原稿画像読取部１５０は原稿６に光を照射してその反射光を電気信号に変換し、この信号を操作モードに応じて他機に電装し、又は自己の記録系に電装するものである。その構成は第１の実施例の読取部と同一構成の為、同一形状の部品は同一符号とし、その説明は省略する。
【００１７】
操作部１５２は、コピー操作、送信操作、スキャナー操作等を行うものである操作カバー１５３にはダイヤルキー１５４等の各種操作に応じたキーや表示部が設けられている。この操作部１５２は画像読取部の上部に回動可能に取り付けられている。
【００１８】
次に画像形成部１５１について説明する。画像形成部には、図４に示すように一般にレーザビームプリンタと称するものが使用されている。１0１はレーザ発光装置を備えたスキャナーユニット、１0２は感光体１０２ａ、不図示の帯電ローラ、クリーニング手段、現像手段、トナー容器等を備えたプロセスカートリッジであり、スキャナーユニットから発せられたレーザ光はプロセスカートリッジ１０２内のドラム状の感光体１０２ａ上に画像を形成する。シート材を積載するための給紙トレイ１０３上にシート材Ｐを給送するための給送ローラ１０４とシート材Ｐを分離するための分離パッド１０５によって分離、給送されたシート材Ｐはプロセスカートリッジ１０２内の感光体１０0２ａ上に形成された像を転写ローラ１０６によって転写され搬送される。シート上に像を形成されたシート材Ｐはヒータ、フィルム等よって構成される発熱ユニット１０７と加圧ローラ1１１とで成る熱定着ユニットで熱と圧力により像をシート上に定着され、シートＰを排出するための排紙ローラ対１0８によって排出紙を積載する為の排紙トレイ１０９上に排出、積載される。開閉カバー１１０は装置本体１００に対し回動可能に取り付けられた装置本体内のプロセスカートリッジ１０２の脱着を可能とするための開閉ドアとしてのカートリッジドアであり開閉カバー１１０をヒンジ１１０ａ中心に開閉することで装置本体内のプロセスカートリッジ１０２の脱着を行う。
【００１９】
（第３の実施例）
実施例２では画像形成装置としてレーザビームプリンタを記録手段として用いたがインクジェット方式を用いてもよいことは勿論である。
【００２０】
（第4の実施例）
本実施例は図５に示すように本発明の画像読取装置１６０を画像形成装置１６１にオプションで取り付けたことを特徴とする。画像読取部を画像形成装置に載せることによりより不図示のロック機構にてロックされ電気的結合は画像読取装置下面に配置された接続コネクタ１６２と画像形成装置上の接続コネクタ１６３に勘合する。前記コネクタの少なくとも１ピンがフレームグランドと接続しており画像読取装置で発生した静電気を画像形成装置の本体のフレームアースに落としている。
【００２１】
その他の構成については第１の実施例と同一構成の為、同一形状の部品は同一符号とし、その説明は省略する。
【図面の簡単な説明】
【００２２】
【図１】本発明の読取装置を示す断面図
【図２】本発明の読取り装置のセンサー部を示す図
【図３】本発明の自動開閉扉の構成を示す図
【図４】画像読取装置を一体化した多機能画像形成装置の断面図
【図５】オプション読取装置を装着したプリンタの斜視図
【図６】従来の画像読取装置の断面図
【符号の説明】
【００２３】
１  画像読取装置
２  上ユニット（画像読取部）
３  下ユニット（原稿給紙部）
６  原稿
７  給紙トレイ
８  センサーアーム
１０  給送ローラ
１１  予備圧接アーム
１２  摩擦片
１３  搬送ローラ
１３ａ  搬送コロ
１５  コンタクトイメージセンサ
１６  読み取り基準板
１７  排紙ローラ
１７ａ  排紙コロ
１９  ＦＤ排紙ローラ
１９ａ  ＦＤ排紙コロ
２０  開閉扉
２１  排紙トレイ
２２  リンク
２３  開閉アーム
１００  画像読取装置を一体化した多機能画像形成装置
１５０  原稿画像読取部
１５１  画像形成装置
１５２  操作部
１６０  オプション画像読取装置
１６１  画像形成装置
２０１  コントローラ
２０２  原稿給送部
２０３  原稿読取部
２０４  原稿厚み検出部
２０５  原稿長さ検出部
【図１】
2007049300.tif 000003
【図２】
2007049300.tif 000004
【図３】
2007049300.tif 000005
【図４】
2007049300.tif 000006
【図５】
2007049300.tif 000007
【図６】
2007049300.tif 000008